(57)【要約】【課題】  複数の架線を上下に引き渡す作業やその後のメンテナンスを容易にし、しかも各架線の張力のばらつきを小さくすることのできる室内装飾装置を提供する。【解決手段】  室内装飾装置１は、上部に設けられた液溜め皿２２の底部に複数の小孔２４ｄが設けられていて、各小孔２４ｄに線材４が通されたうえ上下に引き渡されたものである。当該小孔２４ｄからその線材４に沿って液体が液滴Ｂとなって降下する。各線材４の両端部が下部において取付け部材３４にそれぞれ固定されていて、各線材４の中ほどの部分が、上記小孔２４ｄの２つにまたがるように渡し掛けられている。【選択図】  図３
2014223100.tif 000002
【特許請求の範囲】
【請求項１】
上部に設けられた液溜め皿の底部に複数の小孔が設けられていて、各小孔に線材が通されたうえ上下に引き渡され、当該小孔からその線材に沿って液体が液滴となって降下する室内装飾装置であって、
上記の各線材の両端部が下部においてそれぞれ固定されていて、
各線材の中ほどの部分が、上部の液溜め皿における上記小孔の２つにまたがるように渡し掛けられている
ことを特徴とする室内装飾装置。
【請求項２】
上記線材の各端部が、下部にある取付け部材に固定されていて、
当該取付け部材には各線材を通す取付け孔が形成されていること、および、
当該取付け孔に通された線材の先の部分が、当該取付け孔を通過し得ない大きさの胴部が圧縮変形させられて線材をはさみ付ける金属製筒体によって上記取付け部材に固定されていることを特徴とする請求項１に記載の室内装飾装置。
【請求項３】
上記取付け部材が、設定高さを変更可能に設けられていることを特徴とする請求項２に記載の室内装飾装置。
【請求項４】
上記小孔の上端部分が、エッジやバリがない滑らかな曲面で形成されていることを特徴とする請求項１〜３のいずれかに記載の室内装飾装置。
【請求項５】
上記小孔の下端部分に、上記液溜め皿の底部下面から下方に突出した突出部分がそれぞれ設けられていることを特徴とする請求項１〜４のいずれかに記載の室内装飾装置。
【請求項６】
上記小孔が、液溜め皿の底部に上下に貫通するよう設けられた開口に挿入されたノズル筒の内側面であり、
当該ノズル筒が、その下端部分が上記突出部分として上記液溜め皿の底部下面から突出した状態で固定されている
ことを特徴とする請求項５に記載の室内装飾装置。
【請求項７】
上記ノズル筒が、スリーブの上端部側に設けられた金属球にスリーブの下端部にある座部寄りの外力をかけて当該スリーブを座屈させる形式のブラインドリベットであって、各ブラインドリベットにおける、座屈したうえ金属球が取り除かれた状態のスリーブの内側に、上記液滴と上記線材とが通されることを特徴とする請求項６に記載の室内装飾装置。
【請求項８】
上記の液体が、多価アルコールを主とするものであることを特徴とする請求項１〜７のいずれかに記載の室内装飾装置。
【請求項９】
上記の液体が、トリエチレングリコールにポリエチレングリコールと水とが混合されたものであることを特徴とする請求項８に記載の室内装飾装置。
【請求項１０】
上記の液体が、リン酸トリエチルまたはシリコンオイルであることを特徴とする請求項１〜７のいずれかに記載の室内装飾装置。
【請求項１１】
室内の空気を、上記複数の線材およびそれらに沿って降下する液滴の表面に接触するように循環させるための送風機が付設されていることを特徴とする請求項１〜１０のいずれかに記載の室内装飾装置。
【請求項１２】
上記線材に沿って降下した液体を上記液溜め皿に供給するための給液管と当該給液管の所定位置に設けられたポンプとを有するとともに、そのポンプより上流側および／または下流側に、上記液滴が吸着した粉塵類を除去するためのフィルターが接続されていることを特徴とする請求項１〜１１のいずれかに記載の室内装飾装置。
【発明の詳細な説明】
【技術分野】
【０００１】
本発明は、室内に設置されるシャンデリア風の装飾装置に関するものである。
【背景技術】
【０００２】
本発明と関連のある室内装飾装置は、たとえば下記の特許文献１に記載されている。同文献１に記載の装置は本発明と同一の発明者によるものであり、本発明はそれを改良したものである。
【０００３】
特許文献１に記載の装飾装置１１０は、図６（ａ）〜（ｃ）に示すように、上部架枠１２０と下部架枠１３０とに端部をそれぞれ結びつけて複数の架線１４０を引き渡し、各架線１４０に沿って装飾液Ａを水玉Ｂ状に流下させながら、その水玉Ｂに投光器１５０から光を当てるものである。上部架枠１２０の直下に設けた液溜皿１２２は、底部１２２ａに装飾液Ａと架線１４０とを通す複数の小孔１２４を有する。装飾液Ａは、液溜皿１２２の小孔１２４を抜けて、架線１４０を伝って水玉Ｂとなって流下し、下部架枠１３０の下方に設けた液受皿１３２に達する。液受皿１３２に入った装飾液Ａは、液受皿１３２と液溜皿１２２とを接続するパイプ１６０と、その途中に接続されたポンプ１６２とによって、上部の液溜皿１２２に再び供給される。
【０００４】
特許文献１の装飾液Ａには、アクリルアマイド水溶液のように水よりも粘性のあるものを用いて、水玉Ｂが形成されやすいようにしている。
そして装飾装置１１０は、上部架枠１２０が天井に近い高さとなるように構成されて、店舗やホテルのエントランスなど、室内に設置される。
【先行技術文献】
【特許文献】
【０００５】
【特許文献１】特公昭４８−３３２３５号公報
【発明の概要】
【発明が解決しようとする課題】
【０００６】
上記した装飾装置１１０では、架線１４０のそれぞれを、上部架枠１２０と下部架枠１３０とに取り付けている。すなわち、それぞれの架線１４０の上端部を上部架枠１２０に結び付け、下端部を下部架枠１３０に結び付けることによって、複数の架線１４０を上下に引き渡している。
しかし、上下の架枠１２０・１３０に各架線１４０の端部を１本ずつ結び付ける作業は煩雑なうえ、とくに、上部架枠１２０への架線１４０の取付けは、天井裏等に上っての不安定な高所作業であるため、危険を伴うものでもあった。さらに、組み立てが完成した装置１１０の運転を継続していく間に、架線１４０が切断したり弛みが生じたりすると、その都度作業者が天井裏等に上り、一本一本の架線１４０の張架を補修・調節する必要もあった。
また、架線１４０の端部を架枠１２０・１３０に結び付ける際には、各架線１４０に不均一な緩みが発生しがちである。つまり、各架線１４０について結び目の設け方やその位置を全く同じにするのは難しいため、架線１４０ごとに張力が異なることになりやすい。架線１４０ごとの張力の差が大きいと、緩めの架線１４０と張力の強すぎる架線１４０とが混在することになり、結果として、組み立て完成後に補修・調節が必要となることが多くなる。
【０００７】
そのほか、装飾液とするアクリルアマイド水溶液は、長時間使用すると水分が蒸発して粘性が高まり、水玉状に流下しにくくなったり、溶剤が析出して一部がつらら状に架線１４０に連なるという不都合も生じていた。
【０００８】
本発明は、以上の点などを考慮したもので、複数の架線を上下に引き渡す作業やその後のメンテナンスを容易にし、しかも各架線の張力のばらつきを小さくすることのできる室内装飾装置を提供しようとするものである。また、使用する液体を長期間使用でき、さらには室内空気を清浄化することもできる室内装飾装置を提供することを目的としている。
【課題を解決するための手段】
【０００９】
発明に係る室内装飾装置は、上部に設けられた液溜め皿の底部に複数の小孔が設けられていて、各小孔に線材（架線）が通されたうえ上下に引き渡され、当該小孔からその線材に沿って液体（装飾液）が液滴となって降下する（多くの場合、付設された投光器からそれらの液滴に光が当てられる）ものであって、上記の各線材の両端部が下部においてそれぞれ固定されていて、各線材の中ほどの部分が、上部の液溜め皿における上記小孔の２つにまたがるように渡し掛けられていることを特徴とする。
この室内装飾装置は、たとえば図３に示すように、連続する１本の線材４が装置上部の２つの小孔２４ｄに通されて折り返され、各線材４の両端部が、下部の取付け部材３４等にそれぞれ固定されているものである。
【００１０】
上記のようになっていると、連続する１本の線材がこの室内装飾装置において２本の平行な架線として使用されることになり、つぎのような利点がある。すなわち、a)使用する線材の本数が半分になり、線材を結び付ける作業も半分に減らすことができる。b)１本の線材を従来に比べて約２倍の長尺で使用することになるため、下部での固定位置（線材の結び目の位置等）が従来と同様にばらついても、線材に発生する張力のばらつき（偏差）は半分程度になる。c)もし線材を、上部の液溜め皿の位置から垂らすことができると、各線材の両端部を下部まで簡単に到達させることができる。
また、上部では線材を結び付ける必要がないので、線材を上部から簡単には垂らすことができなくとも、上記小孔への線材の通し方を工夫すれば、液溜め皿よりも下の位置のみから簡単に線材の取付けを行うことができる。たとえば、液溜め皿（透明のものが好ましい）の１つの小孔の下から上に向けて糸の輪（輪にした糸）を差し通し、その糸の輪に、もう１つの小孔の下から上に向けて差し通した線材の一方の端部を通した後、糸の輪を線材と一緒に元の小孔から引き抜くことにより、線材が２つの小孔にまたがって折り返されるようにする（図４（ａ）〜（ｃ）を参照）ことができ、線材の両端部分を液溜め皿から下方へ垂らすことができる。このように、液溜め皿より下からの作業のみで線材を液溜め皿の２つの小孔にまたがるように渡し掛けることができるので、線材の取付けに関して高所作業の手間と危険がなくなり、多数の線材を能率的にかつ安全に取り付けることができる。線材を新たに取り付ける場合にも、メンテナンスによって線材を交換する場合にも、同様のメリットがある。
【００１１】
上記の室内装飾装置は、上記線材の各端部が、下部にある取付け部材に固定されていて、当該取付け部材には各線材を通す取付け孔が形成されていること、および、当該取付け孔に通された線材の先の部分が、当該取付け孔を通過し得ない大きさの胴部が圧縮変形させられて線材をはさみ付ける金属製筒体（たとえば、電線端末に取り付ける圧着端子）によって上記取付け部材に固定されていること、との特徴を有するものであるととくに好ましい。
たとえば図３の下方部分のように、線材４の両先端部分に電線用の圧着端子３５を圧着して取り付け、これを上記の金属製筒体として、下部の取付け孔３４ａに掛け留めて固定するとよい。
【００１２】
このような室内装飾装置によれば、線材の両端部は、結び目を作ったりしないで、上記のとおり下部の取付け孔に通し、線材に所定の緊張を加えつつ上記金属製筒体で留めるだけで装置の取付け部材に固定できる。結び目を作る場合に比べて、各線材の張力がほぼ均一になるよう設定しやすいほか、取付け部材への線材の取り付けを容易に行えるという利点がある。
なお、上記取付け部材としては、たとえばパンチング多孔板を使用するとよい。パンチング多孔板は多数の孔を備えているので、複数の線材の各端部を取り付けるのに適しているからである。市販されていて入手が容易であることも好都合である。
【００１３】
線材の各端部を固定する上記取付け部材が、設定高さを変更可能に設けられているとさらに好ましい。
【００１４】
その場合、取付け部材の高さを変えることにより、線材の張架状態を変更して各線材の張力を適切に調節することができる。一つの取付け部材に複数の線材の端部が固定されているなら、その取付け部材の高さを変えることにより、複数の線材の張架状態をまとめて調節することができ、多数の線材の張り具合を速やかに、また均等に調節することが可能である。
【００１５】
上記小孔の上端部分が、エッジやバリがない滑らかな曲面で形成されていると、さらに有利である。図２（ａ）（ｃ）には、そのような小孔を例示している。
このように小孔の上端部分が滑らかに形成されていると、渡し掛けた線材に張力が加えられたときも、小孔との摩擦等で線材が切断する可能性が低くなる。
【００１６】
上記小孔の下端部分には、上記液溜め皿の底部下面から下方に突出した突出部分がそれぞれ設けられているとよい。たとえば図２（ａ）（ｃ）のようにすると好ましい。
【００１７】
従来の室内装飾装置においては、図６（ａ）（ｃ）に示すように液溜皿１２２の下面１２２ｂが平坦であるため、小孔１２４を抜けた装飾液Ａが、底部１２２ａの下面１２２ｂを横方向に伝ってしまい、架線１４０に沿って降下しないことがあった。
しかし、上記のとおり液溜め皿に突出部分を設けた室内装飾装置では、液体（液滴）を確実に線材に沿って降下させることができる。液滴用の液体が通る小孔の下端部分に、液溜め皿の底部下面より下方に突出した突出部分を備えているため、液体が液溜め皿の底部下面を横方向には伝わりにくいからである。
【００１８】
上記小孔が、液溜め皿の底部に上下に貫通するよう設けられた開口に挿入されたノズル筒の内側面であり、当該ノズル筒が、その下端部分が上記突出部分として上記液溜め皿の底部下面から突出した状態で固定されているなら、さらに好ましい。
【００１９】
このような室内装飾装置では、底部下面が平らな液溜め皿の底部に開口を設け、その開口にノズル筒を打ち込むだけで、上述の小孔が形成される。小孔の下端部分が下方に突出した形の液溜め皿を成形する手段として、特別な金型や加工機械等を必要としない。したがって、製造が容易で製造コストを抑えられるうえ、液溜め皿の底部の任意の位置に任意の数の小孔を設けることも困難でなく、線材の配列に多様性をもたせることができる。
【００２０】
上記ノズル筒が、スリーブの上端部側に設けられた金属球にスリーブの下端部にある座部寄りの外力をかけて当該スリーブを座屈させる形式のブラインドリベットであって、各ブラインドリベットにおける、座屈したうえ金属球が取り除かれた状態のスリーブの内側に、上記液体（液滴）と上記線材とが通される、といったものであるのも好ましい。
【００２１】
このような室内装飾装置では、ノズル筒として市販のブラインドリベットを利用することができる。そのためノズル筒を、特注で製作したり在庫を保管したりする必要がなく、必要に応じてすぐに購入できる。上記のブラインドリベットは単価も安く、リベッターで締め付けるだけという簡単な作業で素早く液溜め皿の開口に組み込める。しかも、ブラインドリベットと開口の間からの液体の漏れがないよう強固に開口に固着できる。ブラインドリベットの、座屈して金属球が取り除かれたスリーブの内側には、線材を通すに適した小孔が開いている。
スリーブの下端部には下方に突出する座部が形成されていて、それが上記突出部分となるので、液体が液溜め皿の底部下面を横方向へ伝わりにくい。また、金属球との接触により上端部分が広がり滑らかになっているスリーブで開口の内側を覆うので、小孔の上端部分にエッジやバリがないことになる。そのため、スリーブ内側（小孔）に線材を通したのちその線材を強く張る作業の際や、完成後の運転の際に、エッジやバリに線材が引っ掛かって傷ついたり切断されたりすることを防止できる。
なお、液溜め皿の上記小孔に、ブラインドリベットに代えてハトメ（グロメットまたはアイメットともいう）を挿入して固定するのもよい。ハトメを設ける場合にも、小孔の上端部分が滑らかになり、下端部分に突出部分が形成されることになるからである。
【００２２】
発明の室内装飾装置において、上記の液体が、多価アルコール（またはその誘導体）を主とする（全体の５０％を超える）ものであるのが好ましい。
【００２３】
そのような液体としてたとえば、エチレングリコール、ジエチレングリコール、トリエチレングリコール、テトラエチレングリコール、ポリエチレングリコール、プロピレングリコール、ジプロピレングリコール、ポリプロピレングリコール、トリメチレングリコール、１，３−ブタンジオール、１，４−ブタンジオール、１，５−ペンタンジオール、３，４−ヘキシレングリコール、オクチレングリコール、グリセリン、アルカンジオール、および上記溶剤の誘導体、ならびにそれらの組み合わせが挙げられる。
このような室内装飾装置によれば、液体が多価アルコールであるため適度の粘性を有していて、液滴が形成されやすい。また、多価アルコールは蒸発も変質もしないため、補充や交換をすることなく同じ液体を長期間使用することができる。タバコの煙を吸着しても臭くならないという利点もある。さらに、多価アルコールには抗菌性があり、防腐剤として化粧品などに使用されている（たとえば特開２０１０−１８０１５０号公報を参照）。したがって、装飾用の液体に多価アルコールを使用することは、室内の装飾および空気清浄のためにきわめて好ましいと言える。
【００２４】
上記の液体が、トリエチレングリコールにポリエチレングリコールと水とが混合されたものであるとなおよい。
【００２５】
水を含むある種の混合液を用いて本装飾装置を継続運転した場合、混合液体は次第に変質し、異臭を帯びる場合が多い。しかし、上記のトリエチレングリコールとポリエチレングリコールと水を所定比率で混合した液体を用いて、長期にテスト運転を継続して行った結果では、混合液の変質は見られなかった。
このような室内装飾装置には、上述の効果があるうえ、液体（液滴）の引火点が高くなって安全性が向上する。したがって、上記した多価アルコールの中でもこのような混合液を使用するのが、室内装飾装置として最も好ましい。
【００２６】
上記の液体が、リン酸トリエチルまたはシリコンオイルであってもよい。
そのような液体も、適度の粘性を有していて液滴を形成しやすいほか、蒸発や変質をしにくいため補充や交換をすることなく長期間使用できる。そのため、室内の装飾および空気清浄（後述）のために好ましい室内装飾装置とすることができる。
【００２７】
発明の室内装飾装置には、室内の空気を、上記複数の線材およびそれらに沿って降下する液滴の表面に接触するよう循環させるための送風機が付設されているとよい。なお、送風機は、発明の室内装飾装置に専用のものでなくともよく、上記のとおり室内空気を循環させるものであれば、当該室内に既設されているエアコン等を利用するのもよい。
【００２８】
このような室内装飾装置によれば、送風機によって室内の空気を液滴と活発に接触させることができる。したがって、空気中に含まれる粉塵やタバコの煙、細菌類など、大きさを問わない各種粒子の多くが液滴に吸着され、その結果、その室内の空気が効果的に清浄化される。かかる室内装飾装置は、装飾を兼ねながら、空間の高さや広さを問わず、居住エリア内の最も空気清浄効率の良い部分に自由に設置することが可能である。
上記の液体が多価アルコールやその誘導体であると、長期間使用しても変質せず、タバコの煙よっても臭くならず、また抗菌性を有するので、空気の清浄化にはきわめて有利な室内装飾装置となる。多価アルコールは、疎水性のアルキル基に親水性のヒドロキシル基が付いているため、疎水性の粒子と親水性の粒子との双方を吸着することが可能で、効率の良い吸着補足を行うことが可能と考えられる。
空気清浄のためには、室内装飾装置が、床面から天井付近に及ぶ背の高いものであるのが有利である。その場合、送風機によって形成される空気の流れが、背の高い装置における長い線材（およびその表面の液滴）の全域にできるだけ均等に接触するよう、送風機による空気の吸引口（または排出口）が上下各位置に分散して配置されると効率的である。
本装置は、粘性のある液体を滴状にゆっくりと線材に伝わせ流下させて微粒子状物質を吸着補足する方式のため、広い吸着面積にもかかわらず少ない循環液量で足り、運転費が安くすむ。具体的には、線材１本に流下させるに必要な循環液量は約２０ｃｃ／ｍｉｎであり、たとえば１０００本の線材を張架した装置を運転しても、わずか２０リットル／ｍｉｎの小型液送ポンプでよく、消費電力もわずかであるため、経済的である。
【００２９】
発明の室内装飾装置が、上記線材に沿って降下した液体を上記液溜め皿に供給するための給液管と当該給液管の所定位置に設けられたポンプとを有するとともに、そのポンプより上流側および／または下流側に、上記液滴が吸着した粉塵類を除去するためのフィルターが接続されていると、さらに好ましい。
【００３０】
このような室内装飾装置によれば、液滴に吸着された粉塵類がフィルターによって取り除かれるので、線材の上部に液体を供給するノズル筒など、液体の流路に目詰まりが発生しない。
液滴によって吸着する粉塵類にとくに微細なもの（ＰＭ２．５のような粒子状物質等）が含まれる場合には、上記の給液管とは別に、独立した循環経路を設け、その循環経路中にポンプとともに高精細のフィルターを組み込むのが望ましい。
【発明の効果】
【００３１】
発明の室内装飾装置によれば、複数の架線を上下に引き渡す作業やその後のメンテナンスが容易になるうえ、各架線の張力のばらつきが小さくなる。また、同じ液体を長期にわたって衛生的に使用することができ、室内空気を清浄化することも可能である。
【図面の簡単な説明】
【００３２】
【図１】発明による室内装飾装置の一実施形態を示す図で、図１（ａ）は室内装飾装置１の概略的な正面図（一部を断面で示す）、同（ｂ）は同（ａ）のｂ−ｂ線断面図である。
【図２】図２（ａ）は液溜め皿２２の部分断面図であり、同（ｂ）はブラインドリベット２４の断面図である。同（ｃ）は、液溜め皿２２の代替形式を示す液溜め皿２３の部分断面図である。
【図３】ディストリビューター・アセンブリ２とレシーバー・アセンブリ３等の一部を模式的に示す断面図である。
【図４】図４（ａ）（ｂ）（ｃ）は、液溜め皿２２よりも下からの作業で線材４を２つの小孔２４ｄにまたがるように渡し掛けるための手順を示す説明図（液溜め皿２２を上から見て示す図）である。
【図５】別の実施形態である室内装飾装置１１の概略的な斜視図である。
【図６】従来の装飾装置１１０を示す図であって、図６（ａ）は装飾装置１１０の縦断面図、同（ｂ）は同（ａ）のｂ−ｂ線断面図、同（ｃ）は同（ａ）のｃ部の拡大図である。
【発明を実施するための形態】
【００３３】
以下、発明による室内装飾装置の一実施形態を、図１〜図４に基づき説明する。
【００３４】
室内装飾装置１は、図１・図３に示すように、上部に設けたディストリビューター・アセンブリ２と、下部に設けたレシーバー・アセンブリ３との間に複数のナイロン製線材４（たとえばナイロン製の釣り糸１４号）を引き渡し、線材４を伝って液滴Ｂを降下させる物である。投光器（図示せず）から線材４等に向けて光を当てると、液滴Ｂが光を散乱させて装飾効果が高くなる。
【００３５】
ディストリビューター・アセンブリ２に含まれる液溜め皿２２は、液滴Ｂとする液体Ａを溜めるもので、厚さ１ｍｍ〜２ｍｍの円形・平板状の底部２２ａ（図１（ｂ））に、上下に貫通する複数の開口２２ｃを同心円状に３重に形成している。各開口２２ｃには、図２（ｂ）に示すブラインドリベット２４（のスリーブ２４ａ）を挿入することにより、線材４と液滴Ｂとを通すに適した孔を形成している。ブラインドリベット２４としては、ツバ状の座部２４ｂを有するスリーブ２４ａの内側に、スリーブ２４ａの内径より大きい金属球２４ｃと一体になった軸部２４ｅを通したものを使用する。内径２ｍｍ程度のスリーブ２４ａを、座部２４ｂが下方になるよう開口２２ｃに差し込んでから、リベッタ工具（図示せず）で軸部２４ｅを強く下方に引くことによってかしめる。このとき、軸部２４ｅは切断され、押しつぶされたスリーブ２４ａの先端に金属球２４ｃが残った状態になる（図２（ａ）の左端の図）。その後、ブラインドリベット２４の内側に打抜棒（図示せず）を挿入し、ハンマー（図示せず）などを用いて金属球２４ｃを上方に打ち抜いてスリーブ２４ａから取り除く。このようにすることで、ブラインドリベット２４のスリーブ２４ａの内側を、上下に貫通する小孔２４ｄとすることができる。
【００３６】
それらの多数の小孔２４ｄに対し、各線材４を、隣接する２つの小孔２４ｄにまたがるように渡し掛けている（図２（ａ）・図３）。この作業は、液溜め皿２２より下からの作業のみで、図４（ａ）〜（ｃ）のように行い得るものである。たとえば、まず、液溜め皿２２の１つの小孔２４ｄの下から上に向けて糸の輪４Ｘを差し通し、その糸の輪４Ｘの内側に、もう１つの小孔２４ｄの下から上に向けて差し通した線材４の一方の端部を通す（図４（ａ））。そののち、糸の輪４Ｘを元の小孔２４ｄから下方へ引き下げる（図４（ｂ））と、輪４Ｘが線材４と一緒に元の小孔２４ｄから下方へ引き抜かれ（図４（ｃ））、線材４が２つの小孔２４ｄにまたがって折り返されるようになる。これにより、線材４の両端部分を液溜め皿２２から垂らすことができる。液溜め皿２２が透明または半透明であると、以上の作業は液溜め皿２２の下から容易に行える。
【００３７】
図２に示すブラインドリベット２４によって上記のように小孔２４ｄを形成すると、スリーブ２４ａの座部２４ｂが、小孔２４ｄの下端部分で下方に向けて突出している。そのため、小孔２４ｄから出る液体Ａは、その突出部分から線材４に沿って降下することとなり、液溜め皿２２の底部下面２２ｂを横方向に伝わるようなことにはならない。
【００３８】
また、ブラインドリベット２４をかしめる際に、スリーブ２４ａの上端部分が金属球２４ｃと強く接触することによって、スリーブ２４ａの上端部分はバリがなくて表面が滑らかな状態になっている。したがって、線材４を２つの小孔２４ｄにまたがるように渡し掛け、線材４の両端部分を下部で固定して線材４に張力が加えられる際にも、線材４が小孔２４ｂの上端部分との接触によって簡単に切断されるという不都合は生じない。
【００３９】
なお、このような液溜め皿２２に代えて、ブラインドリベットを使わない図２（ｃ）のような液溜め皿２３を用いることもできる。液溜め皿２３は、底部２３ａに直接小孔２６を形成し、各小孔２６の下端部分に、底部２３ａの下面２３ｂより下方に突出する突起部分２６ａを成形加工により形成している。この突起部分２６ａがあるため、小孔２６を降下する液体Ａが、底部２３ａの下面２３ｂを横方向に伝わることを防止できる。さらに、各小孔２６の上端部分には、エッジやバリのない滑らかな曲面を形成している。したがって、上記液溜め皿２２の場合と同様に、２つの小孔２６にまたがるように渡し掛けた線材４が、小孔２６の上端部分と接触しても切断されにくい。
【００４０】
図３に示すように、液溜め皿２２には上蓋２７を設けている。上蓋２７は、懸垂支持部材２８を介して液溜め皿２２と連結している。懸垂支持部材２８は、図示しない懸垂用ボルトによって、天井（図示せず）または他の支持部材（同）に取り付けられている。
【００４１】
レシーバー・アセンブリ３は、図３の下部に示す構造のものである。すなわち、架台５に設けた液受け皿３２と、その内部に水平に設けた化粧板３３、その下方に取り付けた、線材４を固定するためのパンチング多孔板３４、さらには、パンチング多孔板３４に固定した、線材４の張力を調節するための可動板３６などからなる。
【００４２】
化粧板３３は、線材４の取付け部分を隠して、装置１の美観を向上させるためのものである。化粧板３３には、線材４と液滴Ｂとを通すための孔３３ａを形成している。上述の液溜め皿２２の小孔２４に渡し掛けた各線材４は、両端部分をそれぞれ化粧板３３の孔３３ａに通したのち、パンチング多孔板３４の取付け孔３４ａに通している。通した線材４の先の部分に、取付け孔３４ａの内径よりも幅の広い圧着端子３５をそれぞれ取り付けることによって、線材４をパンチング多孔板３４に掛け留めている。
【００４３】
パンチング多孔板３４は、その下部を可動板３６に接合している。可動板３６は、その下方で液受け皿３２に固定した固定板３７に対して、調節用ボルト３８とナット３８ａにより連結している。ボルト３８の締め付け状態によって所定の範囲で可動板３６の高さを変えることができるので、パンチング多孔板３４に固定した複数の線材４の張力を、まとめて均等に調節することができる。
【００４４】
線材４を伝って化粧板３３の孔３３ａを降下する液滴Ｂは、固定板３７に設けた孔（図示せず）をさらに通過して液受け皿３２に収容される。このようにして液受け皿３２に入った液体Ａを、図１に示す給送パイプ６と、その途中に設けたポンプ６２とによって、再び液溜め皿２２に供給する。液滴Ｂには、空気中に含まれる粉塵やタバコの煙、細菌類など、各種サイズの粒子が吸着されているが、ポンプ６２の前後にフィルタ６４を接続してそれらの粉塵類を除去するので、清浄な状態に戻した液体Ａを液溜め皿２２に供給することができる。したがって、液体Ａを繰り返し液滴Ｂとして線材４に沿って降下させることにより、空気が次第に清浄化されていく。なお、ポンプ６２にはサーモスタットを付設したうえ、液体Ａの温度が上昇するとＯＦＦになるよう設定して、液体Ａが発火しないようにしている。また、フィルタ６４は、ニコチン等も除去できるものとして７５μｍ程度の金網または樹脂のネットを採用するのが好ましい。ここではＧＦフィルタを用いている。
上記粉塵類に微細なもの（ＰＭ２．５等）が多く含まれる場合には、上記の給送パイプ６に設けるフィルタ６４を高精度にするのではなく（ＰＰ１００μｍ程度とし）、液受け皿３２内の液体Ａを循環させる別のポンプを含む独立の経路（図示省略）を新たに設け、その循環経路中に高精度の（目の細かい）フィルターを組み込むのがよい。その場合、循環経路におけるポンプおよびフィルターが小規模なもので足りるうえ、フィルタ６４が目詰まりしにくいためにポンプ６２の負荷が小さく保たれる。
【００４５】
空気の清浄化を促進するため、室内装飾装置１では、３重の円に沿って配置した線材４の中央に、図１のように吸気管７を上下方向に設けている。吸気管７は、側面上の高さの異なる多数の箇所に吸気孔７２を備え、上部に設けた吸気ファン７４によって吸気管７の周囲の空気を吸い込むことができる。吸気管７に吸い込まれた空気は、室内の別の場所に配置した給気口７６から排出されて室内を循環する。したがって、線材４を降下している液滴Ｂに積極的に多くの空気を接触させることになるので、室内の空気の清浄化が促進される。線材４の密度（単位面積当たりの張架本数）を上げると液滴Ｂの数が増えるので、さらに効果的に空気を清浄化できる。
【００４６】
上記の液体Ａとして、多価アルコールの一種であるトリエチレングリコールとポリエチレングリコールとを水と混合させたものを用いている。トリエチレングリコールは、適度の粘性を有していて液滴Ｂが形成されやすいうえ、蒸発や変質をしないため、補充や交換を行うことなく同じ液を長期間使用できる。また、タバコの煙を吸着しても臭くならないという利点もある。さらに、ポリエチレングリコールは水と分離しないため適度な粘度の液体Ａが得られるほか、引火点が高くて安全であるため室内で使用する装飾装置には最適である。液体Ａは、トリエチレングリコールを単独で使用してもよい。また、液体Ａに蛍光剤や殺菌剤を加えるのもよい。
【００４７】
図５に、別の実施形態である室内装飾装置１１を示す。室内装飾装置１１は、部屋Ｄの天井付近に設けた矩形のディストリビューター・アセンブリ１２と、床１５に設置したレシーバー・アセンブリ１３との間に、複数の線材４を引き渡してなる。各アセンブリ１２・１３は部屋Ｄの幅いっぱいに直線状に延びていて、それらの間に掛け渡された複数の線材４は、部屋Ｄの空間を２分割するに近い広がりをもつ平行な複数の平面に沿って配置されている。
図示しないが、ディストリビューター・アセンブリ１２とレシーバー・アセンブリ１３には、前記実施形態（図１等）のディストリビューター・アセンブリ２とレシーバー・アセンブリ３に含まれる要素と同一の要素がそれぞれ含まれている。したがって、ディストリビューター・アセンブリ１２の液溜め皿から線材４に沿って降下した液滴Ｂ（液体Ａ）は、レシーバー・アセンブリ１３の液受け皿に収容され、ポンプ６２とフィルタ６４を接続した給送パイプ６を経由して、付着した粉塵等を分離されたのち、再びディストリビューター・アセンブリ１２の液溜め皿に戻る。
【００４８】
このような配列の線材４では、線材４に囲まれるような空間がないため、部屋Ｄの壁に設けた吸気ガラリ１７ｂと送風ガラリ１７ｃとを、部屋Ｄの外側に配置した送気ダクト１７で接続し、送気ダクトの途中に接続したエアーポンプ１７ａで室内の空気を循環させている。送気ダクト１７にはフィルタ１７ｄを接続し、空気中の粉塵等も除去している。この場合、線材４を複数の列に同一のピッチで並べるとともに、吸気ガラリ１７ｂの側から線材４を見たときにどの線材４も重なることがないように各列をずらして配置すると、より多くの液滴Ｂに空気を接触させることができて、効果的に室内の空気を清浄化できる。
【００４９】
以上に述べた室内装飾装置について、液体および空気の清浄力に関する実験を行った。実験では、６０本の上記線材を図１と同様に配置して上下のアセンブリに引き渡すとともに中央に吸気管を配置した室内装飾装置を、直径１５０ｍｍ×高さ７００ｍｍのアクリル製筒体に格納した。液滴用の液体をフィルタで清浄化しながら循環させる一方、吸気管が吸い出した筒体内の空気をタバコの煙を充満させた箱に通してから筒体内に戻すと、最初筒体内は煙で白く曇ったが、数分後次第に透明状態を取り戻した。その後液体の臭気を調べたところ、ほとんどタバコ臭は感じられなかった。
【００５０】
また、液体について、図１と同形状の室内装飾装置で長期間使用した場合の一般生菌数の変化を測定した。この測定に用いた液体は、液滴用の液体として１０年間以上焼肉店で使用した後の液体（トリエチレングリコール）と、比較のための新しいトリエチレングリコールとである。それぞれの液体の一般生菌数を、（財）兵庫県予防医学協会保健環境センターに依頼して標準寒天培地菌数測定法によって検査したところ、どちらも全く菌が生息していない（一般生菌数：0.0〜1.0×10/g）という結果が得られた。すなわち、室内装飾装置は、長期間同じ液体を循環させながら使用しても、液体の清浄性を保つことができると言える。
【００５１】
以上説明したとおり、発明の室内装飾装置によれば、装置の組み立てやメンテナンスが容易かつ安全である。液滴が線材に沿ってつねに円滑に降下する、同じ液体を長期間循環して使用することができる、といった利点もある。装置を設置した空間の空気が清浄化されるうえ、液体に粘性があるので水のように飛び散らないので、室内で使用する装飾装置として最適である。
【符号の説明】
【００５２】
１・１１  室内装飾装置
２・１２  ディストリビューター・アセンブリ
２２・２３  液溜め皿
２２ａ・２３ａ  底部
２２ｂ・２３ｂ  下面
２２ｃ  開口
２４    ブラインドリベット
２４ａ  スリーブ
２４ｂ  座部
２４ｃ  金属球
２４ｄ  小孔
２４ｅ  軸部
２６    小孔
２６ａ  突起部分
２７  上蓋
２８  懸垂支持部材
３・１３  レシーバー・アセンブリ
３２  液受け皿
３３  化粧板
３３ａ  孔
３４  パンチング多孔板
３４ａ  取付け孔
３５  圧着端子
３６  可動板
３７  固定板
３８  調節用ボルト
３８ａ  ナット
４  線材
５  架台
６  給送パイプ
６２  ポンプ
６４  フィルタ
７  吸気管
７２  吸気孔
７４  吸気ファン
７６  給気口
１５  床
１７  送気ダクト
１７ａ  エアーポンプ
１７ｂ  吸気ガラリ
１７ｃ  送風ガラリ
１７ｄ  フィルタ
Ａ  液体
Ｂ  液滴
Ｄ  部屋
【図１】
2014223100.tif 000003
【図２】
2014223100.tif 000004
【図３】
2014223100.tif 000005
【図４】
2014223100.tif 000006
【図５】
2014223100.tif 000007
【図６】
2014223100.tif 000008